(57)【要約】      （修正有）【課題】芝刈り機構と、この芝刈り機構にて刈り取った刈草を受け入れる集草ボックスと、この集草ボックスを持ち上げるようにしたリフト機構とを備えて成る芝刈機において、集草ボックスを高く持ち上げた状態での傾きを低減する。【解決手段】集草ボックスのリフト機構１９による持ち上げ作動時に、この持ち上げ作動に連動して地面に向かって突出作動するアウトリガー４５を備え、更にアウトリガー４５を地面に向かって突出しない状態に係止するようにした着脱自在な係止手段７５を備えている。【選択図】図３
2008278804.tif 000002
【特許請求の範囲】
【請求項１】
芝刈り機構と，この芝刈り機構にて刈り取った刈草を受け入れる集草ボックスと，この集草ボックスを持ち上げるようにしたリフト機構とを備えて成る芝刈機において，
前記集草ボックスの前記リフト機構による持ち上げ作動時に，この持ち上げ作動に連動して，地面に向かって突出作動するアウトリガーを備え，更に，前記アウトリガーを，地面に向かって突出しない状態に係止するようにした着脱自在な係止手段を備えていることを特徴とする芝刈機。
【請求項２】
前記請求項１の記載において，前記アウトリガーを，前記芝刈機の走行方向に対して左右一対備えていることを特徴とする芝刈機。
【請求項３】
前記請求項１又は２の記載において，前記アウトリガーを，前記集草ボックスをその最大持ち上げ位置に下降不能にロックする着脱自在なロック手段に，当該ロック手段を下降不能にロックするとアウトリガーが突出作動するように連結したことを特徴とする芝刈機。
【発明の詳細な説明】
【技術分野】
【０００１】
本発明は，走行しながら芝草を刈り取るようにした芝刈機のうち，刈り取った刈草の適宜量を集めたのち高い位置まで持ち上げて排出するように構成した集草排出機構を備えて成る芝刈機に関するものである。
【背景技術】
【０００２】
従来，この種の芝刈機における集草排出機構には，例えば，特許文献１及び２に記載されているように，前記芝刈機の後部から後ろ向きに放出される刈草を，後面の開口部に開閉自在な後蓋板を備えて成るた集草ボックス内に，当該集草ボックスを下降した位置において受け入れ，この集草ボックス内に所定量の刈草が入ると，前記集草ボックスを高い位置まで持ち上げたのち，その内部に受け入れた刈草を高い位置から排出するという構成することにより，刈草を，背の高い集草用コンテナ等に投入するようにしている。
【特許文献１】特開２００１−２７５４３８号公報
【特許文献２】特開２００２−８４８５０号公報
【発明の開示】
【発明が解決しようとする課題】
【０００３】
しかし，従来における芝刈機は，刈草を背の高い集草用コンテナ等に投入すること等を目的として，高く持ち上げた状態にして排出するのであるが，この高く持ち上げた状態での刈草の排出に際し，前記集草ボックスをこれに刈草を入れた状態のままで高く持ち上げたときに，重心が高くなるから，芝刈機が，当該芝刈機のうち前記リフト機構の部分が下がるように傾くおそれが大きいばかりか，左右方向に傾くおそれも大きくなるという問題があった。
【０００４】
本発明は，この問題を解消した芝刈機を提供することを技術的課題とするものである。
【課題を解決するための手段】
【０００５】
この技術的課題を達成するため請求項１は，
「芝刈り機構と，この芝刈り機構にて刈り取った刈草を受け入れる集草ボックスと，この集草ボックスを持ち上げるようにしたリフト機構とを備えて成る芝刈機において，
前記集草ボックスの前記リフト機構による持ち上げ作動時に，この持ち上げ作動に連動して，地面に向かって突出作動するアウトリガーを備え，更に，前記アウトリガーを，地面に向かって突出しない状態に係止するようにした着脱自在な係止手段を備えている。」
ことを特徴としている。
【０００６】
請求項２は，
「前記請求項１の記載において，前記アウトリガーを，前記芝刈機の走行方向に対して左右一対備えている。」
ことを特徴としている。
【０００７】
請求項３は，
「前記請求項１又は２の記載において，前記アウトリガーを，前記集草ボックスをその最大持ち上げ位置に下降不能にロックする着脱自在なロック手段に，当該ロック手段を下降不能にロックするとアウトリガーが突出作動するように連結した。」
ことを特徴としている。
【発明の効果】
【０００８】
前記請求項１に記載した構成において，集草ボックス内に受け入れた刈草の排出に際し，前記集草ボックスの持ち上げ作動に連度してアウトリガーが地面に向かってこれに近接するように突出することにより，前記集草ボックスを高く持ち上げた状態で傾くことのおそれを確実に低減できる。
【０００９】
そして，前記アウトリガーの突出作動は，前記集草ボックスの持ち上げ作動に連動して行われることにより，前記アウトリガーが，芝刈機における通常走行（集草ボックスを持ち上げない状態での走行）の妨げになることを確実に回避できる。
【００１０】
ところで，前記集草ボックス内に受け入れた刈草を，背の高い集草用コンテナ等に投入するに際しては，前記集草ボックスを高く持ち上げた状態で，芝刈機を前記集草用コンテナ等に近づけるように移動走行して，前記集草ボックスが前記集草用コンテナ等の真上に位置するのであるが，前記アウトリガーが集草ボックスを高く持ち上げた状態で突出するという構成のままであると，前記集草ボックスを高く持ち上げた状態で走行するときに，前記アウトリガーが邪魔になる場合がある。
【００１１】
これに対し，請求項１によると，前記アウトリガーを地面に向かって突出しない状態に係止するようにした着脱自在な係止手段を備えていて，この係止手段にて前記アウトリガーを，前記集草ボックスを高く持ち上げたときに突出しないように係止することができるから，前記アウトリガーが，前記集草ボックスを高く持ち上げた状態での走行に妨げるになることを確実に回避できる。
【００１２】
また，前記アウトリガーを，請求項２に記載したように，芝刈機の走行方向に対して左右一対設けることにより，前記集草ボックスを高く持ち上げた状態での左右方向への傾きに低減できる。
【００１３】
特に，前記アウトリガーを，請求項３に記載したように，前記アウトリガーを，前記集草ボックスをその最大持ち上げ位置に下降不能にロックする着脱自在なロック手段に，当該ロック手段を下降不能にロックするとアウトリガーが突出作動するように連結することにより，前記アウトリガーの突出作動を，前記集草ボックスを最大に持ち上げた状態に下降不能にロックする操作に連動して，同時に行うことができて，その操作を簡単にできる。
【発明を実施するための最良の形態】
【００１４】
以下，本発明の実施の形態を，図１〜図１４の図面について説明する。
【００１５】
これらの図において，符号１は，乗用型の芝刈機を示し，この芝刈機１は，前後方向に延びる左右一対のサイドフレーム３にて構成した走行機体２を有し，この走行機体２は，地面４に接地する左右一対の前輪５と，同じく地面４に接地する左右一対の後輪６とで支持され，且つ，この走行機体２には，その上面に前部から順番にエンジン７，操縦ハンドル８，操縦座席９が設けられていると共に，前記エンジン７を着脱可能に覆うボンネットカバー１０，前記操縦座席９に対するステップ台１１及び前記両後輪６を覆うフェンダー１２が設けられている。この場合，操縦座席９に座ったオペレータが操縦ハンドル８を回動操作することにより，左右の前車輪５の舵取り角（操向角度）が変わるように構成されている。
【００１６】
操縦座席９の下方には，ミッションケース６１が配置されている。実施形態では，左右両サイドフレーム３の後部が前低後高形の傾斜部になっており，これら両傾斜部にミッションケース６１が支持されている。また，ミッションケース６１は，エンジン７からの動力を適宜変速して左右の後車輪６に伝達することによって，前進走行又は後退走行するように構成されている。
【００１７】
前記走行機体２における下面には，前輪５と後輪６との間の部位に，前記エンジン６からの動力伝達による駆動にて前記地面４における芝草を刈り取るようにしたロータリー式の芝刈り機構１３が昇降可能に設けられているとともに，両後輪６間の部位に，前記ロータリー式の芝刈り機構１３にて刈り取った刈草を走行機体２の後方に向かって放出するようにした排出ダクト１４が後方に延びるように設けられている。
【００１８】
なお，前記両後輪６における中心部の外側面には，図１及び図２に示すように，金属棒を半円形のループ状等に曲げ加工して成るロープ掛け具１５が，当該後輪６の中心におけるハブをその車軸に対して着脱可能に取付けるための複数本のボルト１５ａによる同時に締結にて着脱自在に取付けされており，前記芝刈機１をトレーラ等に載せて搬送するときにおいて，当該芝刈機１のうち後部をトレーラ等に対して固定するためのロープ又は鎖等を前記フロープ掛け具１５に対して掛けることができるように構成しており，このロープ掛け具１５は，ループ状にすることに限らず，フック状に構成しても良いが，図示のように半円形のループ状に構成した場合には，これに草等が巻き付くことを低減できるばかりか，剛性を向上できる等の利点がある。また，このような構成のロープ掛け具１５は，前記両後輪６に代えて両前輪５に設けるか，両前輪５及び両後輪６の両方に設けることができる。
【００１９】
前記芝刈機１の後部には，前記排出ダクト１４から後方に放出される刈草を，詳しくは後述するように，集めて高く持ち上げて排出するように集草排出機構１６が装着されている一方，前記芝刈機１の前部には，前記集草排出機構１６に対して前後の重量バランスを図るためのウエイト１７が取付けられている。
【００２０】
前記左右両サイドフレーム３における傾斜部の後端部分には，エンジン７に燃料を供給する燃料タンク６２が搭載されている。右サイドフレーム３における傾斜部の外側に，ミッションケース６１の作動油を供給するためのオイルタンク６３が搭載されている。左サイドフレーム３における傾斜部の外側（燃料タンク６２を挟んでオイルタンク６３と反対側）には，エンジン７の始動等に用いるバッテリ６４が搭載されている。
【００２１】
実施形態の芝刈機１では，エンジン７の回転動力の一部を左右両後輪６に配分する二輪駆動方式が採用されている。すなわち，エンジン７の回転動力の一部は，エンジン７から前後外向きに突出する出力軸６５の後端部から，前後両端に自在継手を有する推進軸６６と，ミッションケース６１より前方の部位に配置された走行用伝動中継ケース６７と，無端入力ベルト６８とを介して，ミッションケース６１に伝達される。そして，ミッションケース６１に左右外向きに突設した水平な左右の後輪駆動軸６９から，左右の無端後輪駆動チェン７０を介して走行機体１の後部側にある左右の車軸に伝達される。その結果，左右の車軸に取り付けられた左右の後車輪６が回転駆動することになる。
【００２２】
他方，エンジン７の他の回転動力は，出力軸６５の前端部から，ＰＴＯ動力伝達用の無端ＰＴＯ伝動ベルト７１を介して，エンジン７の下方に回動可能に配置されたＰＴＯ軸７２に伝達される。次いで，ＰＴＯ軸７２から，前後両端に自在継手を有する中間軸７３を介して，芝刈り機構１３の上面のうち右サイドフレーム３より更に右側の部位に配置されたモア用ギヤボックス７４に動力伝達される。その結果，芝刈り機構１３を構成する左右一対の刈刃（図示せず）が回転駆動し，これら両刈刃にて地面に植立した芝草等を刈り取りながら，刈草を芝刈り機構１３の左右幅中央に集めて排出ダクト１４に放出することになる。
【００２３】
そして，前記集草排出機構１６は，前面に前記排出ダクト１４の後端が臨む開口部１８ａを備えた集草ボックス１８と，前記集草ボックス１８を，下降した位置において前記排出ダクト１４から放出される刈草を受け入れる前向きの姿勢と，この前向き姿勢のままで高く持ち上げた状態とに往復して昇降動するように構成したリフト機構１９とを備えている。
【００２４】
前記集草排出機構１６における集草ボックス１８は，左右両側面及び上面を，多孔板（パンチング板）又は金網等の通気性板製の側面板１８ｂ及び天井板１８ｃにて囲う一方，その底面及び後面を開放するという構成であり，この集草ボックス１８のうち開放された底面は，開閉自在な底蓋板２０にて，同じく開放された後面は，開閉自在な後蓋板２１にて塞ぐように構成されている。
【００２５】
前記底蓋板２０は，前記集草ボックス１８の左右両側面板１８ｂの外側に固着したブラケット部材２２の下端にピン２３にて回動自在に枢着されており，この底蓋板２０は，多孔板（パンチング板）又は金網等のように通気性を有する薄金属板を，図５に示すように，前端から後方に向かって比較的緩やかな角度で斜め上向きに傾斜する傾斜部２０ａと，この傾斜部２０ａの後端から下向きに折れ曲がる鉛直部２０ｂとを複数回にわたって繰り返して設けるというように，高さの低い鋸歯状の断面に折り曲げることでその剛性を高めるという構成であり，その枢着ピン２３の位置は，当該底蓋板２０における後端よりも前側の部位で，且つ，当該底蓋板２０における前端と後端との間の中心位置よりも適宜寸法だけ後端にずれた部位に位置しており，従って，前記底蓋板２０は，通常の状態においてはその枢着ピン２３より前側の重量にて前記集草ボックス１８における左右両側面板１８ｂの下端相互間を連結する横部材３９の上面に接当して，前記集草ボックス１８における開放された底部の全てを閉じて（塞いで）いるが，その後端部に対して下向きに外力が作用すると，その枢着ピン２３を中心にして前端がはね上がるように開き回動するという構成にされている。
【００２６】
一方，前記後蓋板２１は，同じく，多孔板（パンチング板）又は金網等のよう通気性板製であり，その左右両側面において前記集草ボックス１８の左右両側面板１８ｂの外側面にピン２４ａ，２５ａにて回転自在に枢着して成る上下一対のリンク２４，２５に対して回動自在に連結することにより，前記集草ボックス１８において開放された後面を閉じる状態と，後面からはね上がるように開く状態とに開閉作動するように構成されており，この開閉作動を，前記ブラケット部材２２と，前記上下一対のリンク２４，２５のうち下部リンク２５との間に装架した復動型の開閉用油圧シリンダ２６によって行うように構成している。
【００２７】
前記後蓋板２１と，前記底蓋板２０における前端部との間を，前記集草ボックス１８の内部に配設した左右一対の可撓性を有する金属製ワイヤ２７又はチエン等の可撓性部材にて連結することにより，前記後蓋板２１が開閉用油圧シリンダ２６におけるピストン突出動にて集草ボックス１８の後面を開放するように跳ね上がり回動すると，これに前記金属製ワイヤ２７を介して連動して，前記底蓋板２０が，その前端がはね上がる一方後端が下がるように回動して集草ボックス１８の底面を開放し，前記後蓋板２１が開閉用油圧シリンダ２６におけるピストン後退動にて集草ボックス１８の後面を閉じる状態に戻ると，これに連動して，前記底蓋板２０が，その前側の重量にて集草ボックス１８の底面を閉じる状態に戻るというように構成している。
【００２８】
この場合，前記両金属製ワイヤ２７の両端を前記底蓋板２０及び後蓋板２１に対してピン２７ａ，２７ｂにて回動自在に連結するに際して，前記金属製ワイヤ２７をその長手軸線の回りに適宜角度（例えば，９０〜１８０度）だけその弾性に抗して捩じった状態にし，この状態で前記ピン２７ａ，２７ｂにて結合することにより，前記底蓋板２０及び後蓋板２１が閉じた状態にあるとき，前記金属製ワイヤ２７における途中で弛んでいる部分は，図１に示すように，前記底蓋板２０の上面に接当する状態に維持できることになるから，前記集草ボックス１８内への刈草の受け入れに際し，前記金属製ワイヤ２７が邪魔になることを回避できる。
【００２９】
この場合，他の実施の形態としては，前記集草ボックス１８における両外側において，前記後蓋板２１に対する開閉機構であるところの前記上下リンク２４，２５のうち一方又は前記開閉用油圧シリンダ２６と，前記底蓋板２０とを連結することによって，前記後蓋板２１の開き作動に連動して前記底蓋板２０が開き回動するように構成することができる。
【００３０】
前記集草ボックス１８の前面における開口部１８ａの下辺には，前記排出ダクト１４の後端から後方に放出される刈草を前記集草ボックス１８内に零すことなく円滑に誘導するための底部誘導板２８が，前記排出ダクト１４の後端部内にのぞむように前向きに突出して設けられている。
【００３１】
そして，前記集草排出機構１６におけるリフト機構１９は，図３〜図７に示すように構成されている。
【００３２】
すなわち，このリフト機構１９は，前記集草ボックス１８を挟む左右両側の各々に配設したマスト部材２９，復動型の昇降用油圧シリンダ３０及び上下一対のリフト用リンク３１，３２を備え，前記両マスト部材２９は，中空断面の角パイプ製で上下方向に延びて，その下端部２９ａにおいて前記走行機体２の後部に対してボルト５９の締結等にて着脱可能に取付けられており，且つ，その相互間は複数本の横部材３３にて連結され，前記芝刈機１の走行方向から見て井桁状に構成されている。
【００３３】
なお，この両マスト部材２９の走行機体２への着脱可能な状態での取付けは，前記走行機体２における両サイドフレーム３の後端へのボルト５９による締結と，前記両サイドフレーム３の後端から下向きに延びる後輪支持用フレーム３ａへのボルト５９による締結にて行うように構成している。
【００３４】
また，前記両マスト部材２９は，側面視（図１，図３，図４及び図６）において，その上端部２９ｂが前記走行機体２に対する取付け部である下端部２９ａよりも適宜寸法Ｅだけ前方（走行機体２側）に位置するように，その途中の部分において前側に曲げられており，この両マスト部材２９における上端部２９ｂの後面には，後ろ向きの溝型断面に構成した上部ブラケット部材３４が溶接等にて固着されている一方，この両マスト部材２９における下端には，下部ブラケット部材３５が，後ろ向きに突出するように固着されている。
【００３５】
前記上下一対のリフト用リンク３１，３２の基端は，前記両マスト部材２９の上端部２９ｂにおける上部ブラケット部材３４に対して，当該上部ブラケット部材３４における溝内に挿入した状態で，この上部ブラケット部材３４を貫通するように着脱自在に差し込んだリフトピン３６，３７にて回動自在に枢着されている。
【００３６】
つまり，前記両リフト用リンク３１，３２の基端に対するリフトピン３６，３７は，前記上部ブラケット部材３４に対して両端支持の構造であることにより，当該リフトピン３６，３７による支持の剛性及び耐久性を向上でき，これに加えて，前記両リフト用リンク３１，３２の基端は，前記上部ブラケット部材３４における溝内に挿入されていることにより，前記リフトピン３６，３７における支持の剛性が高いことと相俟って，前記リフト用リンク３１，３２の横方向への振れを確実に低減できる。
【００３７】
また，前記両マスト部材２９を，上端部２９ｂが下端部２９ａよりも適宜寸法Ｅだけ前方（走行機体２側）に位置するというように前側に曲げた構成にしたことにより，前記上下一対のリフト用リンク３１，３２基端のリフトピン３６，３７における前記走行機体２の前後方向に沿った位置を，前記マスト部材２９を真っ直ぐの構成にした場合よりも，前記適宜寸法Ｅだけ前方の部位に位置することができるから，前記集草ボックス１８を，後述するように，最高に上昇動したときに，その最高上昇高さを前記適宜寸法Ｅの分だけ高くすることができ，しかも，この集草ボックス１８における前記走行機体２に対する支持荷重の作用点が，前記適宜寸法Ｅの分だけ前方に位置するから，前記走行機体２における後ろ荷重を低減できる。
【００３８】
一方，前記上下一対のリフト用リンク３１のうち上部リンク３１の先端は，前記集草ボックス１８の左右両側面板１８ｂの外側に固着したブラケット部材２２にピン３８にて回動自在に枢着され，前記上下一対のリフト用リンク３１のうち下部リンク３２の先端は，前記底蓋板２０に対する枢着ピン２３にて前記集草ボックス１８の左右両側面板１８ｂの下端部に対して回動自在に枢着されている。
【００３９】
なお，前記上下一対のリフト用リンク３１，３２のうち下部リンク３２の先端における前記集草ボックス１８に対する枢着ピンは，前記集草ボックス１８における底蓋板２０に対する枢着ピン２３と一体の兼用にしているが，下部リンク３２の先端に対する枢着ピンを，底蓋板２０に対する枢着ピン２３とを別体に構成できることは勿論である。
【００４０】
前記両マスト部材２９の下端における下部ブラケット部材３５の内面の各々には，レバー体４０が回動自在にピン４１にて枢着され，この両レバー体４０の相互間は，両レバー体４０が同時に回動するように横部材４２を介して一体的に連結されており，この両レバー体４０の各々には，前記両昇降用油圧シリンダ３０の基端がピン４３にて回動自在に連結されている。
【００４１】
一方，前記両マスト部材２９の下端部２９ａの外側面には，図１７に示すように，前記昇降用油圧シリンダ３０のレバー体４０への枢着ピン４３が嵌まる上向き鉤状に構成したアウトリガー用フック体７５を回動自在にピン７６にて枢着し，このアウトリガー用フック体７５を，実線で示す位置にしているとき，前記両レバー体４０は後方には回動しないが，このアウトリガー用フック体７５を，二点鎖線で示す位置に下向きに回動したとき，前記両レバー体４０が後方に回動して，前記シリンダ枢着用ピン４３が前記下部ブラケット部材３５の後端におけるストッパー部４４に対して，これ以上の後方回転を阻止するように接当するという構成である。
【００４２】
この場合，前記ストッパー部４４に対してシリンダ枢着用ピン４３が接当するという構成にすることに代えて，前記ストッパー部４４に対して前記レバー体４０に設けた別のストッパー部材が接当するという構成にしても良い。
【００４３】
これに加えて，前記両レバー体４０には，当該レバー体４０が後方回動して，シリンダ枢着用ピン４３がストッパー部４４に対して接当した状態において，前記下部ブラケット部材３５の下面から下向きに突出するようにしたアウトリガー４５と，前記下部ブラケット部材３５におけるストッパー部４４と実質的に同じ位置にまで後方に突出するか，このストッパー部４４よりも更に後方に突出するようにしたバンパー体４６とが設けられている。
【００４４】
更に，前記両レバー体４０には，当該レバー体４０が前方に回動したときに，前記下部ブラケット部材３５又は前記マスト部材２９に対して，これ以上の前方回転を阻止するように接当するストッパー片４７が設けられている。
【００４５】
そして，前記両昇降用油圧シリンダ３０の先端を，前記上下一対のリフト用リンク３１，３２のうち下部リンク３２に対してピン４８にて連結して，前記上下一対のリフト用リンク３１，３２を，前記両昇降用油圧シリンダ３０にて上下方向に回動することにより，前記集草ボックス１８を，下降位置において前記排出ダクト１４から放出される刈草を受け入れる前向きの姿勢と，この前向きの姿勢のままで高く持ち上げた状態とに往復して昇降動するように構成している。
【００４６】
すなわち，前記昇降用油圧シリンダ３０におけるピストン突出動にて前向き姿勢の集草ボックス１８を高く持ち上げる一方，前記昇降用油圧シリンダ３０におけるピストン後退動にて前向き姿勢の集草ボックス１８を元の位置に下降するように構成している。
【００４７】
前記上下一対のリフト用リンク３１，３２のうち下部リンク３２と，前記集草ボックス１８を高く持ち上げた姿勢のときに，前記両マスト部材２９の上端部２９ｂ又は第１ブラケット部材３４との間には，前記集草ボックス１８を高く持ち上げた状態において，下降不能にロックするようにした着脱自在なロック手段４９が設けられている。
【００４８】
このロック手段４９は，図１５及び図１６に示すように，マスト部材２９の上端部２９ｂにおける内側面に基端を回動自在にピン４９ｂにて枢着したレバー体４９ａと，このレバー体４９ａに穿設した長溝孔４９ｃ及び前記第１ブラケット部材３４に穿設した逆Ｌ字状のロック溝４９ｄに嵌まるロックピン４９ｅと，前記両リンク３１，３２のうち下部リンク３２に固着したフック体４９ｆとによって構成され，前記ロックピン４９ｅは，図１５に実線で示すように，前記集草ボックス１８を下降した状態において，前記逆Ｌ字状ロック溝４９ｄのうち横溝の部分に位置しているが，図１５に二点鎖線で示すように，前記集草ボックス１８を最大に高く持ち上げた状態において，当該ロックピン４９ｅを前記レバー体４９ａにおける長溝孔４９ｃに沿って前記ロック溝４９ｄのうち横溝の部分から縦溝の部分に移行操作することにより，前記下部リンク３２におけるフック体４９ｆに嵌まり係合して，当該最大持ち上げた位置に下降不能にロックし，そして，前記ロックピン４９ｅを，前記レバー体４９ａにおける長溝孔４９ｃに沿って前記ロック溝４９ｄのうち逆Ｌ字状ロック溝４９ｄのうち縦溝の部分から横溝の部分に移行操作することにより，前記した下降不能のロックを解除するように構成している。
【００４９】
この場合，前記ロックピン４９ｅは，左右両マスト部材２９について共通する一本の構成であり，また，左右両レバー体４９ａの相互間も，互いに連動するように横部材４９ｇを介して連結されている。
【００５０】
また，右側におけるリフト用リンク３１，３２と，左側におけるリフト用リンク３１，３２との相互間は，これらの各リンクが同時に回動するように，その上端の部分において横部材５０，５１を介して連結されている。
【００５１】
そして，本実施の形態においては，前記アウトリガー用フック体７５と，前記ロック手段４９におけるロックピン４９ｅとの間をロッド７７を介して連結することにより，前記ロックピン４９ｅを前記ロック溝４９ｄのうち横溝の部分に位置するとき，前記アウトリガー用フック体７５が上向きに回動して当該回動位置を保持し，前記ロックピン４９ｅを前記ロック溝４９ｄのうち縦溝の部分に移行すると，前記アウトリガー用フック体７５が下向きに回動するように構成している。
【００５２】
更にまた，前記芝刈機１のうちその操縦座席９から手が届く部位には，前記ロータリー式の芝刈り機構１３をＯＮ・ＯＦＦ操作するためのＰＴＯ操作レバー５２が設けられているとともに，前記開閉用油圧シリンダ２６を，ピストン突出動する開位置，ピストン後退動する閉位置及びその中間でピストン作動停止する中立位置に切り換え操作するための開閉操作レバー５３が設けられ，更に，前記昇降用油圧シリンダ３０を，ピストン突出動する上げ位置，ピストン後退動する下げ位置及びその中間でピストン作動停止する中立位置に切り換え操作するための昇降操作レバー５４が設けられている。
【００５３】
この構成において，前記集草排出機構１６における集草ボックス１８を，その底蓋板２０及び後蓋板２１を閉じた状態で下降した位置に保持することにより，前記排出ダクト１４から放出される刈草を受け入れる姿勢し，この状態で，芝刈機１を，そのロータリー式芝刈り機構１３を駆動しながら前進走行することにより，所定の芝刈りを行うことができ，前記ロータリー式芝刈り機構１３にて刈り取られた刈草は，排出ダクト１４及び底部誘導板２８を介して前記集草ボックス１８内に入るように集められる。
【００５４】
そして，前記集草ボックス１８内に所定量の刈草が溜まると，刈取作業及び前進走行を停止して，集草ボックス１８内からの刈草の放出作業を開始する。
【００５５】
この放出作業に際しては，先ず，前記両昇降用油圧シリンダ３０を，その昇降操作レバー５４の上げ位置への操作によりピストンが突出動するように作動して，前記集草ボックス１８を持ち上げるようにする。
【００５６】
すると，先ず，前記アウトリガー用フック体７５を，図１７に二点鎖線で示すように下向きに回動した状態にしたとき，この両昇降用油圧シリンダ３０の基端におけるレバー体４０が後方に回動して，その枢着ピン４３がストッパー部４４に接当する状態になるから，図１０に示すように，このレバー体４０に設けたアウトリガー４５が，地面４に接近するように突出して，芝刈機１が前部が浮き上がるように後ろ方向に傾くことを阻止できる状態になる。これと同時に，前記レバー体４０に設けたバンパー体４６が，前記ストッパー部４４と実質的に同じ位置にまで後方に突出するか，このストッパー部４４よりも更に後方に突出する状態になる。
【００５７】
つまり，前記集草ボックス１８の持ち上げ作動の前に，アウトリガー４５が地面４に接近するように突出し，バンパー体４６が後方に突出する。
【００５８】
前記集草ボックス１８を持ち上げに先立って，前記アウトリガー用フック体７５を，図１７に実線で示すように上向きに回動して，その位置に保持することにより，前記レバー体４０の後方への回動を前記アウトリガー用フック体７５にて阻止できるから，前記アウトリガー４５は，地面４に向かって突出作動することはない。
【００５９】
つまり，前記アウトリガー用フック体７５にて，前記集草ボックス１８を持ち上げ作動に連動して前記アウトリガー４５を突出作動する状態と，前記アウトリガー４５を突出作動しないようする状態とに任意に選択することができる。
【００６０】
次いで，前記両昇降用油圧シリンダ３０における更なるピストン突出動にて上下一対のリフト用リンク３１，３２が上向きに回動することにより，図１１に示すように，前記集草ボックス１８が，その底蓋体２０及び後蓋板２１を閉じた状態のままで持ち上げられ，そして，最も高い位置まで持ち上げられると，前記昇降操作レバー５４を中立位置に操作することにより，前記両昇降用油圧シリンダ３０における更なるピストン突出動，つまり，前記集草ボックス１８が持ち上げが停止すると同時に，前記集草ボックス１８がロック手段４９にて前記した最も高い位置から下降しないようにロックする。
【００６１】
本実施の形態においては，前記ロック手段４９にて集草ボックス１８を最も高く持ち上げた位置にロックする途中で，これにロッド７７を介して連結した前記アウトリガー用フック体７５が，図１７に二点鎖線で示すように下向きに回動することになるから，昇降用油圧シリンダ３０の基端におけるレバー体４０が後方に回動して，アウトリガー４５が地面４に向かって突出作動する。この突出作動が完了した時点で，前記ロック手段４９が完全ロックの状態（ロックピン４９ｄが，下部リンク３２におけるフック部４９ｆに完全に嵌まり係合する状態）になる。
【００６２】
なお，前記両昇降用油圧シリンダ３０は，前記集草ボックス１８を最高位置に持ち上げた状態になると，自動的にそのピストン作動停止する中立位置になるように構成することができる。また，前記集草ボックス１８は，下降位置において排出ダクト１４から放出される刈草を受け入れる状態のときには，前部が低くて後部が高くなるように前傾斜しているが，最も高い位置まで持ち上げられた状態においては，逆に前部が高くて後部が低くなるように後ろ傾斜になるように構成されている。
【００６３】
そして，この状態で，前記芝刈機１を，前進又は後進走行するように走行操作することで，図１２に示すように，その後部が地面４に置かれた集草用コンテナＡに接近するように移動して，前記のように高く持ち上げた集草ボックス１８が前記集草用コンテナＡの真上に位置する。
【００６４】
前記芝刈機１をその後部が前記集草用コンテナＡに接近するように後進走行する際に，前記集草用コンテナＡへの衝突にて破損が発生することを前記バンパー体４６にて確実に回避できる。
【００６５】
そして，前記開閉用油圧シリンダ２６を，その開閉操作レバー５３の開位置への操作によりピストンが突出動するように作動させる。
【００６６】
すると，図１２に示すように，前記集草ボックス１８に対する後蓋板２１が開き回動するから，前記集草ボックス１８内における刈草の前記集草用コンテナＡ内への排出が始まる。
【００６７】
次いで，前記集草ボックス１８に対する底蓋板２０が，前記後蓋板２１における開き回動に可撓性を有する金属製ワイヤ２７を介して連動して，図１３に示すように，その前端がはね上がる一方後端が下がるように回動して集草ボックス１８の底面を開放するから，前記集草ボックス１８内における刈草の前記集草用コンテナＡ内への排出が更に進行する。
【００６８】
前記後蓋板２１が全開になると，前記開閉操作レバー５３を中立位置に操作することにより，前記両開閉用油圧シリンダ２６における更なるピストン突出動，つまり，前記後蓋板２１の開き作動を停止する。
【００６９】
なお，前記両開閉用油圧シリンダ２６は，前記後蓋板２１が最大に開くと，自動的にそのピストンが作動停止する中立位置になるように構成することができる。
【００７０】
次いで，前記集草ボックス１８内における刈草の排出に伴い，その排出落下中の刈草が，前記底蓋板２０における後端に当たることにより，前記底蓋板２０が，図１４に示すように，当該底蓋板２０と前記後蓋板２１とを連動連結する金属製ワイヤ２７を弛ませながら，前記後蓋体２１の開き回動にかかわらず，自動的に更に大きく開き回動するから，前記集草ボックス１８内における刈草の全てを排出することができる。
【００７１】
なお，前記底蓋板２０におけるその後端に排出落下中の刈草が当たることによる開き回動は，以下に述べるように，前記後蓋板２１における開き回動に追従して行うように構成している。
【００７２】
すなわち，図９に示すように，前記開閉用油圧シリンダ２６の基端における枢着ピン５５に，前記底蓋板２０における後端部の下面が接当する受け片５６ａを備えたレバー体５６を回転自在に設け，このレバー体５６を，リンク５７を介して前記下部リンク２５に，当該下部リンク２５の上向き回動，つまり，前記後蓋板２１を開く方向への回動に伴って下向きに回動するように連結することにより，前記底蓋板２０におけるその後端に排出落下中の刈草が当たることによる開き回動，ひいては，当該底蓋板２０における開き回動による刈草の排出を，急速に一挙に行うことがないように構成している。
【００７３】
また，前記底蓋板２０の開き回動に連動して，前記底部誘導板２８が，図１４に示すように，前端部がはね上がるように傾斜回動するから，この底部誘導板２８の上面に堆積する刈草は，当該底部誘導板２８の上面から前記集草用コンテナＡ内に入るように落下する。
【００７４】
このようにして，前記集草ボックス１８内における刈草の集草用コンテナＡ内への排出が完了すると，前記開閉操作レバー５３の閉位置への操作にて前記後蓋板２１を閉じることにより，前記底蓋板２０が，その前端における重量によって自動的に閉じる。
【００７５】
なお，前記開閉操作レバー５３は，前記後蓋板２１を閉じたときにおいて中立位置にするが，これを自動的に行うように構成することもできる。
【００７６】
そこで，前記芝刈機１を前記集草用コンテナＡから離れるように移動したのち，前記昇降操作レバー５４を下げ位置に操作して，前記両昇降用油圧シリンダ３０をピストン後退動に作動することにより，前記集草ボックス１８は，前記図１０に示すように，下降して前記排出ダクト１４から放出される刈草を受け入れる姿勢に戻る。
【００７７】
次いで，前記両昇降用油圧シリンダ３０が更にピストン後退動することにより，前記両レバー体４０が，その枢着ピン４３がストッパー部４４から離れるように前方向に回動して，そのストッパー片４７が下部ブラケット部材３５又はマスト部材２９に接当するように前方回転するから，前記アウトリガー４５及びバンパー体４６が，図１に示すように，元の後退した位置に戻って，前記刈取作業を行う状態に復帰する。
【００７８】
なお，前記昇降操作レバー５４は，前記両レバー体４０が第２ブラケット部材３５又はマスト部材２９に接当するように前方回転したときにおいて中立位置にするが，これを自動的に行うように構成することもできる。
【００７９】
また，前記実施の形態は，前記アウトリガー４５における突出を，前記集草ボックス１８の持ち上げを開始する前（直前）の時期において行うように構成した場合であったが，更に別の実施の形態においては，集草ボックス１８の持ち上げを開始したあとで，且つ，高い高さにまで持ち上げるまでの間，つまり，持ち上げ途中の時期において行う構成することができる。
【図面の簡単な説明】
【００８０】
【図１】本発明の実施の形態を示す側面図である。
【図２】図１の平面図である。
【図３】図１において集草ボックスを取り外して斜め後方から見た斜視図である。
【図４】図１において集草排出機構を斜め前方から見た斜視図である。
【図５】図４のV−V視断面図である。
【図６】前記集草排出機構におけるリフト機構を示す斜視図である。
【図７】図６の要部拡大図である。
【図８】前記集草ボックスを最大上昇位置で斜め前方から見た斜視図である。
【図９】前記集草ボックスを最大上昇位置で斜め後方から見た斜視図である。
【図１０】刈草放出作業の第１状態を示す図である。
【図１１】刈草放出作業の第２状態を示す図である。
【図１２】刈草放出作業の第３状態を示す図である。
【図１３】刈草放出作業の第４状態を示す図である。
【図１４】刈草放出作業の第５状態を示す図である。
【図１５】図１のリフト機構における上部拡大図である。
【図１６】図１５のXVI −XVI 視断面図である。
【図１７】図１のリフト機構における下部拡大図である。
【符号の説明】
【００８１】
１                  芝刈機
２                  走行機体
３                  サイドフレーム
４                  地面
５                  前輪
６                  後輪
７                  エンジン
８                  操縦ハンドル
９                  操縦座席
１３                ロータリー式芝刈り機構
１４                排出ダクト
１５                ロープ掛け具
１６                集草排出機構
１８                集草ボックス
１９                リフト機構
２０                底蓋板
２１                後蓋板
２３                底蓋板の枢着ピン
２６                蓋の開閉用油圧シリンダ
２７                可撓性ワイヤー
２８                底部誘導板
２９                マスト部材
３０                昇降用油圧シリンダ
３１，３２          リフト用リンク
３４                上部ブラケット部材
３５                下部ブラケット部材
３６，３７          リフトピン
３８                枢着ピン
４０                レバー体
４１                枢着ピン
４３                昇降用油圧シリンダの枢着ピン
４４                ストッパー部
４５                アウトリガー
４６                バンパー体
４９                昇降用ロック手段
５２                ＰＴＯ操作レバー
５３                開閉操作レバー
５４                昇降操作レバー
７５                アウトリガー用フック体（係止手段）
【図１】
2008278804.tif 000003
【図２】
2008278804.tif 000004
【図３】
2008278804.tif 000005
【図４】
2008278804.tif 000006
【図５】
2008278804.tif 000007
【図６】
2008278804.tif 000008
【図７】
2008278804.tif 000009
【図８】
2008278804.tif 000010
【図９】
2008278804.tif 000011
【図１０】
2008278804.tif 000012
【図１１】
2008278804.tif 000013
【図１２】
2008278804.tif 000014
【図１３】
2008278804.tif 000015
【図１４】
2008278804.tif 000016
【図１５】
2008278804.tif 000017
【図１６】
2008278804.tif 000018
【図１７】
2008278804.tif 000019